(57)【要約】【課題】軽量且つ運搬容易であり、装置の準備にかかる労力を減らし、確認作業を簡略化することができる伐採木確認装置を提供する。【解決手段】空気より軽い気体を封入されて大気中に浮上するバルーン１０と、バルーンに組み付けられてバルーンと共に浮上する発煙管３０と、流体放出器と接続されてバルーンを地上につなぎ止めるチューブ４０と、流体放出器に対してチューブを介してトリガ用流体ＦＡを供給することにより流体放出器から目視可能な目印用流体ＦＢを放出させるガスボンベ５０と、を備え、流体放出器は、大気中に放出されたときに目視可能な目印用流体を生成する気流可視化剤を収容する容器を備え、トリガ用流体が容器に供給されたときに容器に設けた放出口から気流可視化剤を大気中に放出するように構成されている。【選択図】図１
2013118845.tif 000002
【特許請求の範囲】
【請求項１】
空気より軽い気体を封入されて大気中に浮上するバルーンと、
該バルーンと共に浮上する流体放出器と、
前記流体放出器と接続されて前記バルーンを地上につなぎ止めるチューブと、
前記流体放出器に対して前記チューブを介してトリガ用流体を供給する気体供給手段と、を備え、
前記流体放出器は、大気中に放出されたときに目視可能な目印用流体を生成する気流可視化剤を収容する容器を備え、前記トリガ用流体が前記容器に供給されたときに前記容器に設けた放出口から前記気流可視化剤を大気中に放出するように構成されていることを特徴とする伐採木確認装置。
【請求項２】
空気より軽い気体を封入されて大気中に浮上するバルーンと、
該バルーンと共に浮上する流体放出器と、
前記流体放出器と接続されて前記バルーンを地上につなぎ止めるチューブと、を備え、
前記流体放出器は、加熱により目視可能な目印用流体を生成する気流可視化剤を収容する容器と、該容器内に配置されて前記気流可視化剤を加熱する加熱部と、を備え、前記加熱部により前記気流可視化剤を加熱することにより生成された目印用流体を前記容器に設けた放出口から大気中に放出することを特徴とする伐採木確認装置。
【請求項３】
空気より軽い気体を封入されて大気中に浮上するバルーンと、
該バルーンと共に浮上する流体放出ノズルと、
前記流体放出ノズルと接続されて前記バルーンを地上につなぎ止めるチューブと、
前記流体放出ノズルに対して前記チューブを介して目視可能な目印用流体を供給することにより該流体放出ノズルから目印用流体を垂直方向に大気中に放出させる流体供給手段と、を備え、
前記流体供給手段は、前記目印用流体を収容するタンクと、前記流体放出ノズルに該タンク内の目印用流体を供給して放出させるポンプと、備えたことを特徴とする伐採木確認装置。
【発明の詳細な説明】
【技術分野】
【０００１】
本発明は、架空送電線に接近している樹木の有無、及び樹木の位置を特定するための装置に関し、特に、空気よりも軽い気体を封入して大気中に浮上させたバルーンを利用して、樹木の位置を特定する伐採木確認装置に関する。
【背景技術】
【０００２】
従来、架空送電線に対して許容離隔距離を越えて接近し過ぎている樹木の有無と、接近し過ぎている樹木の位置を特定する作業を行う場合には、作業員が鉄塔上から目視や望遠鏡等により判別・確認している。しかし、樹木が密生している箇所では、鉄塔上から地表が見通せないため、接近樹木の地上位置を特定することが困難である。
そこで、例えば地上から測定桿を樹木上に突出させて、鉄塔上からこれを確認することにより、樹木の地上位置を確認することが行われる。しかし、樹木が高過ぎる場合には、測定桿を樹木上に突出させることができないため、樹木の地上位置を特定できないことがある。
上記問題を解決するため、特許文献１には、樹木を強く振動させる伐採木確認用樹木加振器具が開示されている。伐採木確認用樹木加振器具は、ひも状部材の一端に加振対象となる樹木に固定するためのベルトを備え、他端に重量物である錘が取り付けられている。錘を振り子状に移動させて強く幹に当てることで樹木を強く振動させ、鉄塔上から樹木の振動を確認することにより、伐採対象となる樹木の地上位置を特定する。
【先行技術文献】
【特許文献】
【０００３】
【特許文献１】特開２００８−２５９４３９公報
【発明の概要】
【発明が解決しようとする課題】
【０００４】
しかしながら、太い樹木を振動させるためには、錘を相当の重さにする必要がある。伐採対象となる樹木の確認作業は険しい山岳地帯において行われることが多く、重量のある錘を運搬することは困難である。また、加振対象となる樹木が多数ある場合には、樹木の数だけ加振器具の取り付け、取り外し等の作業を行わなければならない。また、伐採対象木が特定できるまで、同様の作業を繰り返す必要があり、重量のある錘についてこの作業を繰り返すには、多大な労力を必要とするという問題がある。
本発明は上述の事情に鑑みてなされたものであり、装置の準備や伐採木の確認に必要な労力を軽減することができる伐採木確認装置を提供することを目的とする。
【課題を解決するための手段】
【０００５】
上記の課題を解決するために、請求項１に記載の伐採木確認装置は、空気より軽い気体を封入されて大気中に浮上するバルーンと、該バルーンと共に浮上する流体放出器と、前記流体放出器と接続されて前記バルーンを地上につなぎ止めるチューブと、前記流体放出器に対して前記チューブを介してトリガ用流体を供給する気体供給手段と、を備え、前記流体放出器は、大気中に放出されたときに目視可能な目印用流体を生成する気流可視化剤を収容する容器を備え、前記トリガ用流体が前記容器に供給されたときに前記容器に設けた放出口から前記気流可視化剤を大気中に放出するように構成されていることを特徴とする。
請求項１の発明では、バルーンを大気中に浮上させ、必要に応じて目印用流体をバルーン上方に放出し、バルーン又は目印用流体と伐採対象木との位置関係から伐採対象木の地上位置を特定する。
【０００６】
請求項２に記載の伐採木確認装置は、空気より軽い気体を封入されて大気中に浮上するバルーンと、該バルーンと共に浮上する流体放出器と、前記流体放出器と接続されて前記バルーンを地上につなぎ止めるチューブと、を備え、前記流体放出器は、加熱により目視可能な目印用流体を生成する気流可視化剤を収容する容器と、該容器内に配置されて前記気流可視化剤を加熱する加熱部と、を備え、該加熱部により前記気流可視化剤を加熱することにより生成された目印用流体を前記容器に設けた放出口から大気中に放出することを特徴とする。
請求項２の発明では、例えば加熱することによりエアロゾルを生成する物質を気流可視化剤として用いることができる。容器内にて生成されたエアロゾルを放出口からバルーン上方に放出する。
【０００７】
請求項３に記載の伐採木確認装置は、空気より軽い気体を封入されて大気中に浮上するバルーンと、該バルーンと共に浮上する流体放出ノズルと、前記流体放出ノズルと接続されて前記バルーンを地上につなぎ止めるチューブと、前記流体放出ノズルに対して前記チューブを介して目視可能な目印用流体を供給することにより該流体放出ノズルから目印用流体を垂直方向に大気中に放出させる流体供給手段と、を備え、前記流体供給手段は、前記目印用流体を収容するタンクと、前記流体放出ノズルに該タンク内の目印用流体を供給して放出させるポンプと、備えたことを特徴とする。
請求項３の発明では、目印用流体を供給し流体放出ノズルから大気中に放出する。
【発明の効果】
【０００８】
本発明に係る伐採木確認装置によれば、バルーンを大気中に浮上させ、必要に応じて目印用流体をバルーン上方に放出して伐採木の位置を確認するので、樹木への重量物の取り付け作業が必要なく、伐採木の確認に要する労力を軽減することができる。
【図面の簡単な説明】
【０００９】
【図１】本発明の第一の実施形態に係る伐採木確認装置の全体構成を示す図である。
【図２】バルーンを構成する分割片の構造を示す概略図である。
【図３】分割片により形成されるバルーンの他の形態を示す図である。
【図４】発煙管及びチューブの構成を示す概略図である。
【図５】本発明に係る伐採木確認装置の使用状態を示す図である。
【図６】本発明の第二の実施形態に係る伐採木確認装置の全体構成を示す図である。
【図７】本発明の第三の実施形態に係る伐採木確認装置の全体構成を示す図である。
【発明を実施するための形態】
【００１０】
〔第一の実施形態〕
本発明の第一の実施携帯にかかる伐採木確認装置について、図１に基づいて説明する。図１は、本発明の第一の実施形態に係る伐採木確認装置の全体構成を示す図である。本実施形態に係る伐採木確認装置は、バルーンの浮力を利用して大気中に浮上させた発煙管から目視確認可能な白煙を放出することにより、遠方からの伐採対象木の確認を容易とした点に特徴がある。
伐採木確認装置１は、空気より軽い気体を封入されて大気中に浮上するバルーン１０と、バルーン１０と共に浮上する発煙管３０（流体放出器）と、発煙管３０の一端と接続されてバルーン１０を地上につなぎ止めるチューブ４０と、発煙管３０に対してチューブ４０を介してトリガ用流体ＦＡを供給するガスボンベ５０（気体供給手段）と、を備えている。ここで、本発明において「目印用流体」には、気体・液体の他、気体中に固体や液体の微粒子が分散することにより、煙状あるいはミスト状となって視認可能な状態となるものも含む。
図１に示すバルーン１０は、同一の構成を有した２つの分割片１１から構成されている。
【００１１】
図２は、バルーンを構成する分割片の構造を示す概略図である。
分割片１１は、気体が封入されたときに柱形状となり巾方向に並べて配置された４つの袋体１３と、隣接する袋体１３の内部を互いに連通させる連通孔１５と、４つの袋体１３の少なくとも１つに設けられて各袋体１３の内部に気体を注入する注入口１７と、巾方向両端部に位置する２つの袋体１３に取り付けられて、互いに着脱自在に接合可能な面ファスナー１９（接合部材）と、チューブ４０のリング部材４１（図４参照）に係止されることにより分割片１１がチューブ４０から脱落することを防止するベルト部材２１と、発煙管３０の側面を袋体１３に密着させた状態にて発煙管３０を保持する保持ベルト２５と、を備えている。
各袋体１３は巾方向に並列に配置されており、隣接する袋体１３が接合・一体化されている。隣接する袋体１３は互いに連通孔１５によりその内部が連通されており、注入口１７から注入された気体が各袋体１３に充填されるようになっている。
分割片１１の巾方向両端部に位置する袋体１３ａ、１３ｂの側面には、互いに着脱自在に接着する面ファスナー１９（１９ａ、１９ｂ）が取り付けられている。一方の分割片１１の面ファスナー１９ａと他方の分割片１１の面ファスナー１９ｂとを互いに接着することにより、複数の分割片１１を筒状に一体化することができる（図１参照）。
【００１２】
図３は、分割片により形成されるバルーンの他の形態を示す図である。図３に示すように、１つの分割片１１の夫々の面ファスナー１９ａ、１９ｂを互いに接着することにより、１の分割片１１を筒状に成形したバルーン１０ｂを形成することができる。
バルーン１０を複数の分割片１１から構成することにより、例えば、通常は図１に示す形態（バルーン１０ａ）にて使用する。図１の形態ではバルーン１０ａが巾広となってしまい樹木の枝葉が密集している箇所においてバルーン１０ａを樹木上に浮上させることが困難な場合には、図３に示すような形態（バルーン１０ｂ）にて使用するといった使い分けが可能である。図３に示す形態では、袋体１３の数を減らすことなく巾狭のバルーン１０ｂを縦に連結した構成であるので、樹木の枝葉の影響を受けにくく、より高所にバルーンを浮上させることができる。また、バルーン自体の巾を狭くしても、袋体１３の数が変更されないため、バルーンの浮力を維持しつつ、発煙管３０をより高所に浮上させやすくする。
【００１３】
袋体１３は、ゴム等の弾力性と十分な強度を有した材料にて構成され、その内部にヘリウムガス等の空気よりも比重の小さい気体を封入されることにより、十分な浮力を発生させるように構成されている。ガスボンベ５０から注入口１７を介して袋体１３の内部にガスを注入することにより、連通孔１５を介して各袋体１３にガスが注入されて使用可能な状態となる。
注入口１７には、逆止弁を設ける等して、ガスが漏れ出ないように構成する。即ち、巡視員が山岳地帯や森林地帯を移動する際には、袋体１３にガスを注入しないにてバッグ等に収納して携帯する。一方、伐採木を確認する場合には、ガスボンベ５０から袋体１３内にガスを注入して十分な浮力を発生させる。袋体１３内のガスを抜く場合には、注入口１７から排出させればよい。なお、袋体１３中に常時ガスを注入した構成としてもよい。
【００１４】
ベルト部材２１は、複数の袋体１３のうちの少なくとも１つに設けられている。ベルト部材２１の一端は袋体の適所に取り付けられている。ベルト部材２１の一端部と他端部には面ファスナー２３ａ、２３ｂが設けられており、ベルト部材２１の一端部と他端部とを着脱自在に接着することができる。ベルト部材２１を、後述するリング部材４１に挿通し、面ファスナー２３ａ、２３ｂを互いに接着してベルト部材２１をリング状に成形することにより、バルーン１０をチューブ４０に脱落不能に連結する。
保持ベルト２５は、複数の袋体１３のうちの一つの側面適所に設けられている。保持ベルト２５と袋体１３との間に発煙管３０を挿入することにより、発煙管３０を袋体１３に密着させた状態にて保持する。保持ベルト２５は、例えば伸縮自在なゴムベルトから構成することができる。
【００１５】
発煙管３０について図４に基づいて説明する。図４は、発煙管及びチューブの構成を示す概略図である。発煙管３０は、大気中に放出されたときに目視可能な目印用流体ＦＢを生成する気流可視化剤３１を収容する中空筒状の容器３３を備えている。容器３３の一端にはチューブ４０と連通してトリガ用流体ＦＡが供給される供給口３５を備え、他端にはトリガ用流体ＦＡが容器３３内に供給された時に気流可視化剤３１を大気中に放出する放出口３７を備えている。
気流可視化剤３１には、例えば四塩化チタンを用いることができる。なお、容器３３内には吸着剤に吸着させた状態の四塩化チタンが収容される。トリガ用流体ＦＡが供給口から供給されると、四塩化チタンが放出口３７から大気中に放出される。四塩化チタンが大気中の水分と反応して加水分解反応を起こし、白煙（目印用流体ＦＢ）を生成する。四塩化チタン以外にも、化学反応を利用して白煙を生じさせる他の物質を利用してもよい。このとき、必要に応じて気流可視化剤から白煙を生成するに適当な組み合わせとなるトリガ用流体を用いる。
【００１６】
チューブ４０は可撓性を有するゴムチューブやシリコンチューブ等から構成され、樹木の枝葉と接触したときに破損しないよう、丈夫な物を用いる。チューブ４０の先端（一端）は、発煙管３０の供給口３５と連通している。また、チューブ４０の先端部の適所には、分割片１１のベルト部材２１が挿通されるリング部材４１を備えている。チューブ４０の基端（他端）はガスボンベ５０に接続される接続部４３である。
ガスボンベ５０は、図１に示すように気体が充填されるタンク５１と、チューブ４０の接続部４３と接続される口金５３と、口金５３から放出されるガス圧（量）を適宜に調整するバルブ５５と、を備えている。
ガスボンベ５０には、バルーン１０内に封入する気体（例えばヘリウムガス等）と同一の気体が充填されている。トリガ用流体ＦＡとして空気よりも軽い気体を利用することにより、発煙管３０から放出される気流可視化剤を効率よくバルーン１０上方に浮上させる。また、トリガ用流体ＦＡとしてバルーン１０内に封入する気体と同一の気体を利用することにより、作業現場にて使用するガスボンベ５０を共通化し、運搬効率を高めることができる。
なお、トリガ用流体ＦＡとしてバルーン１０に封入する気体とは異なる気体を利用してもよい。またトリガ用流体ＦＡとして空気を利用し、空気を手動式或いは自動式の空気ポンプにて発煙管に供給するようにしてもよい。
【００１７】
伐採木確認装置１の使用法について図５に基づいて説明する。図５は、本発明に係る伐採木確認装置の使用状態を示す図である。伐採対象木の確認は、バルーン１０を浮上させる作業員Ｍａと、鉄塔に昇塔してバルーンや白煙を目視確認する作業員Ｍｂとの連携により行う。作業員Ｍａと作業員Ｍｂは、トランシーバ等により連絡を取り合いながら以下の作業を行う。
作業員Ｍａは、バルーン１０の各分割片１１の注入口１７から袋体１３にヘリウムガス等、空気よりも軽い気体を注入する。一方の分割片１１の保持ベルト２５と袋体１３との間にチューブ４０が接続された発煙管３０を挿入することにより、発煙管３０をバルーン１０に組み付ける。２つの分割片１１を面ファスナー１９により接着し、円筒形に成形する（図１）。少なくとも一方の分割片１１のベルト部材２１をリング部材４１に挿通し、面ファスナー２３ａと面ファスナー２３ｂとを接着することにより、バルーン１０とチューブ４０とを連結する。伐採対象木であるか否かを確認しようとする樹木に沿ってバルーン１０を大気中に浮上させる。
【００１８】
バルーン１０が樹木上方に突出して目視確認可能である場合、作業員Ｍｂはバルーン１０と伐採対象木との位置関係を確認する。バルーン１０が伐採対象木に沿って上昇した場合には、確認中の樹木が伐採対象木であるので、作業員Ｍａにその旨を連絡し、作業員Ｍａが伐採対象木の地上位置を記録する。バルーン１０が伐採対象木以外の樹木に沿って上昇した場合や、他の伐採対象木の地上位置を確認する場合には、作業員Ｍａは一旦バルーン１０を降下させ、再度樹木に沿って浮上させ、同様の確認作業を行う。
バルーン１０が樹木の上方に突出せず、作業員Ｍｂから目視確認できない場合は、発煙管３０から目印用流体ＦＢを大気中に放出させる。具体的には、作業員Ｍａはガスボンベ５０のバルブ５５を緩め、発煙管３０の供給口３５にヘリウムガス（トリガ用流体ＦＡ）を供給する。ヘリウムガスが供給されることにより、発煙管３０の放出口３７から四塩化チタンが大気中に放出され、目印用流体ＦＢとしての白煙を生成する。白煙はヘリウムガス流に乗って樹木上方に浮上するので、作業員Ｍｂから目視確認可能となる。
白煙が伐採対象木に沿って上昇した場合には、確認中の樹木が伐採対象木であることがわかる。白煙が伐採対象木とは異なる樹木に沿って上昇した場合や、他の樹木について伐採対象木か否かを確認する場合は、一旦バルーンを降下させ、再度同様の手順により確認作業を行う。
【００１９】
以上のように本実施形態によれば、バルーンを大気中に浮上させて、その浮上位置と伐採対象木との位置関係を目視確認することにより、伐採対象木の地上位置を特定することができる。また、樹木の枝葉が密集してバルーンが樹木上に浮上できない場合であっても、発煙管から目印用流体を放出して、樹木上に上昇した目印用流体と伐採対象木との位置関係を確認すれば伐採対象木の地上位置を特定することかできる。また、バルーンは軽量であり、使用しないときにはガスを抜き去って折りたたむことができるので、コンパクト化でき、山岳地帯における運搬にも適している。また、伐採木確認装置は、樹木へ着脱する作業が必要ないので、伐採木確認に係る作業時間の短縮が可能となる。
【００２０】
〔第二の実施形態〕
本発明の第二の実施形態について図６に基づいて説明する。図６は、本発明の第二の実施形態に係る伐採木確認装置の全体構成を示す図である。なお、図においては一部の袋体を省略して記載している。本実施形態に係る伐採木確認装置は、目視確認可能な目印用流体を地表面に置かれた装置から供給して、バルーン上方へ放出する点に特徴がある。以下、第一の実施形態と同一の部材には同一の符号を付してその説明を省略する。
伐採木確認装置２は、バルーン１０に組み付けられてバルーン１０と共に浮上する流体放出ノズル６０（流体放出器）と、流体放出ノズル６０の基端部に接続されてバルーン１０を地上につなぎ止めるチューブ４０と、流体放出ノズル６０に対してチューブ４０を介して目視可能な目印用流体ＦＢを供給することにより流体放出ノズル６０から目印用流体ＦＢを大気中に放出させるポンプ６５（流体供給手段）と、ポンプ６５から供給される目印用流体ＦＢを収容するタンク６７と、を備えている。本実施形態における目印用流体ＦＢには、着色又は非着色の水又はペンキ等を用いることができる。
【００２１】
流体放出ノズル６０は、目印用流体ＦＢを略垂直方向に噴射する部位である。流体放出ノズル６０の一端には、チューブ４０と連通して目印用流体ＦＢが供給される供給口６１を備え、他端には目印用流体ＦＢが流体放出ノズル６０内に供給されたときに、目印用流体ＦＢを放出する放出口６３を備えている。流体放出ノズル６０は、放出口６３側の内径が供給口６１側の内径よりも小さくなるように設定されており、供給口６１から供給された目印用流体を加速させつつ放出口６３から放出する。流体放出ノズル６０の放出口６３は、上方に向くようにバルーン１０に組み付けられており、目印用流体ＦＢを略垂直に放出する。
ポンプ６５は、圧力を発生させることにより目印用流体ＦＢが流体放出ノズル６０から噴射する噴射力を与える。
タンク６７は、目印用流体ＦＢを一時的に貯留する部位であり、目印用流体ＦＢをポンプ６５に供給することにより、ポンプ６５が圧力を加えつつ流体放出ノズル６０に送出する。
ここで、チューブ４０には、目印用流体ＦＢの放出時に加わる圧力に耐えられるように、ある程度の耐圧性があり、且つ収納時の取扱性を高めることができるように可撓性を有するチューブを用いる。例えばゴムチューブや、ゴムチューブの周囲を金属メッシュで被覆して耐圧性を高めたメッシュチューブ等を用いることができる。
【００２２】
本実施形態に係る伐採木確認装置２の使用法は、第一の実施形態と同様である。バルーン１０が、作業員Ｍｂ（図５参照）から直接目視できない場合、作業員Ｍａがポンプ６５を作動させて、目印用流体ＦＢを流体放出ノズル６０から放出させる。目印用流体ＦＢが樹木の枝葉の間からバルーン１０上方に略垂直に放出されて、作業員Ｍｂから視認可能となる。
なお、目印用流体として液体を用いる例により本実施形態を説明したが、目印用流体として粉体を用いてもよい。或いは、煙やミスト等を用いてもよい。煙やミスト等を用いる場合、目印用流体を一時的に保留するタンク６７の代わりに、煙やミスト等を発生させる目印用流体発生装置を用いることができる。例えば目印用流体発生装置では、灯油や軽油、グリセリン等を加熱することにより、或いは水を超音波で振動させることにより、或いは発煙筒から煙を発生させることにより、目視可能な流体を発生させて、ポンプ６５により流体放出ノズル６０に供給し、放出口６３からバルーン１０上方に向けて放出する構成とすることができる。
以上のように、本実施形態においても、バルーンの上方に目印用流体を垂直方向に放出するので、バルーンが樹木上に浮上できない場合であっても、目印用流体を用いて伐採木の確認をすることができる。
【００２３】
〔第三の実施形態〕
本発明の第三の実施形態について図７に基づいて説明する。図７は、本発明の第三の実施形態に係る伐採木確認装置の全体構成を示す図である。なお、図においては一部の部材の図示を省略し、流体放出器についてはその断面を示している。本実施形態に係る伐採木確認装置は、気流可視化剤を加熱することにより、目視確認可能な目印用流体を発生させる点に特徴がある。以下、第一及び第二の実施形態と同一の部材には同一の符号を付してその説明を省略する。
伐採木確認装置３は、バルーン１０に組み付けられてバルーン１０と共に浮上する流体放出器７０を備えている。
流体放出器７０は軸方向一端にトリガ用流体ＦＡが供給される供給口７１を有し、他端に目印用流体ＦＢを放出する放出口７３を有した中空筒状の容器７５と、容器７５内の放出口７３側に配置されて目印用流体ＦＢを生成する気流可視化剤が収容された収容部７７と、容器７５内の供給口７１側に配置されて収容部７７の気流可視化剤を加熱する加熱部７９とを備えている。収容部７７と加熱部７９は、容器７５の内周面に沿って配置されており、容器７５の中空部８１内をトリガ用流体ＦＡが通過する。容器７５の供給口７１は、チューブ４０の先端（一端）と連通している。
【００２４】
チューブ４０には、加熱部７９に電力を供給するケーブル８３が添設されている。ケーブル８３の基端部には、加熱部７９に電力を供給する電源８５と、加熱部７９への通電をオンオフする電源スイッチ８７と、を備えている。
収容部７７には、気流可視化剤として例えばグリセリンやプロピレングリコール等、加熱した時に目視可能なエアロゾルを生成する物質が収容されている。気流可視化剤は、吸湿性の低いポリエステル綿等に含浸された状態にて収容されている。加熱部７９には電熱線を用いることができる。
本実施形態に係る伐採木確認装置３の使用法は、第一及び第二の実施形態と同様である。バルーン１０が、作業員Ｍｂ（図５参照）から直接目視できない場合、作業員Ｍａが電源スイッチ８７をオンし、ケーブル８３から加熱部７９に電力を供給する。すると、収容部７７内の気流可視化剤が加熱部７９により加熱されて目印用流体ＦＢが生成される。さらに作業員Ｍａは、ガスボンベ５０から供給口７１にトリガ用流体ＦＡを供給し、目印用流体ＦＢを流体放出ノズル６０から放出させる。目印用流体ＦＢがトリガ用流体ＦＡの流れに乗ってバルーン１０上方に放出されるので、作業員Ｍｂから視認可能となる。なお、ガスボンベ５０の代わりに気体を送出するポンプを用いてもよい。
以上のように、本実施形態においても、バルーンの上方に目印用流体を垂直方向に放出するので、バルーンが樹木上に浮上できない場合であっても、目印用流体を用いて伐採木の確認をすることができる。
【符号の説明】
【００２５】
１、２、３…伐採木確認装置、１０、１０ａ、１０ｂ…バルーン、１１…分割片、１３…袋体、１５…連通孔、１７…注入口、１９…面ファスナー、２１…ベルト部材、２３…面ファスナー、２５…保持ベルト、３０…発煙管、３１…気流可視化剤、３３…容器、３５…供給口、３７…放出口、４０…チューブ、４１…リング部材、４３…接続部、５０…ガスボンベ、５１…タンク、５３…口金、５５…バルブ、６０…流体放出ノズル、６１…供給口、６３…放出口、６５…ポンプ、６７…タンク、７０…流体放出器、７１…供給口、７３…放出口、７５…容器、７７…収容部、７９…加熱部、８１…中空部、８３…ケーブル、８５…電源、８７…電源スイッチ
【図１】
2013118845.tif 000003
【図２】
2013118845.tif 000004
【図３】
2013118845.tif 000005
【図４】
2013118845.tif 000006
【図５】
2013118845.tif 000007
【図６】
2013118845.tif 000008
【図７】
2013118845.tif 000009